(57)【要約】【課題】ヘアクリップにより毛髪を挟持する際に、ヘアクリップから毛髪が落下することを防止し、かつ毛髪が均等に毛髪を挟持するヘアクリップを提供する。【解決手段】この発明にかかるヘアクリップ１０は、揺動部保持部２２を有する上部クリップ部２０と、第２毛髪挟着面４２ａを設ける毛髪挟持部４２及び付勢部４４を有する揺動部４０と、第１毛髪挟着面３６ａを設ける本体部３２及び連結部３４を有する下部クリップ部３０と、上部クリップ部２０及び下部クリップ部３０を付勢させるための付勢部材５０とを備える。揺動部４０が、第１毛髪挟着面３６ａ及び第２毛髪挟着面４２ａの前端側の間隔と後端側の間隔の大きさが略一定に揺動することで毛髪を均等に狭持し、かつ付勢部４４の下面に対して上向きに付勢され、軸７０を支点として第２毛髪挟着面４２ａが下向きに付勢されることから、第１毛髪挟着面３６ａと第２毛髪挟着面４２ａとにより毛髪が挟着される。【選択図】図２
2011120895.tif 000002
【特許請求の範囲】
【請求項１】
前端側において揺動部保持部を有する上部クリップ部と、
毛髪挟持部及び付勢部を有する揺動部であって、前端側に毛髪狭持部が形成され、後端側の一部に付勢部が形成され、前記揺動部の下面の一部に第２毛髪挟着面を有し、かつ前記上部クリップ部の前記揺動部保持部において軸を介して上下方向に揺動可能に枢設される揺動部と、
本体部及び連結部を有する下部クリップ部であって、前記本体部の前端側に毛髪狭持部を有し、前記毛髪挟持部の上面には第１毛髪挟着面を有し、前記連結部により前記揺動部において軸を介して枢設される下部クリップ部と、
前記上部クリップ部及び前記下部クリップ部の前端側を近接させる向きに付勢させるための付勢部材と
を備えるヘアクリップであって、
前記上部クリップ部及び前記下部クリップ部の前端側を開いている状態から閉じる状態に動作させたときに、前記揺動部が、前記第１毛髪挟着面及び前記第２毛髪挟着面の前端側の間隔と後端側の間隔とが略一定に揺動することで、毛髪を均等に狭持し、かつ
前記付勢部の下面に対して前記毛髪により上向きに付勢されることで、前記軸を支点として前記第２毛髪挟着面が下向きに付勢されることから、前記第１毛髪挟着面と前記第２毛髪挟着面とにより前記毛髪が挟着されることを特徴とする、ヘアクリップ。
【請求項２】
前記揺動部における前記付勢部の後端側には、開口部が形成された後端部が形成され、
前記開口部には、前記連結部が嵌通され、
前記上部クリップ部及び前記下部クリップ部の前端側を開いた場合、
前記連結部の後面と前記上部クリップ部の後端側に形成される開閉操作部の下面とで、前記後端部の一部を挟持することを特徴とする、請求項１に記載のヘアクリップ。
【請求項３】
前記上部クリップ部及び前記下部クリップ部の前端側を開いた場合、
前記付勢部の上面が、前記上部クリップ部の前記揺動部保持部の下面と密接するような形状に形成されることを特徴とする、請求項１または請求項２に記載のヘアクリップ。
【請求項４】
前記揺動部における前記付勢部には、開口部が形成された後端部が形成され、
前記開口部には、前記上部クリップ部の揺動部保持部が挿設されることを特徴とする、請求項１に記載のヘアクリップ。
【請求項５】
前記上部クリップ部及び前記下部クリップ部の前端側を閉じた場合、
前記第１毛髪挟着面が、前記第２毛髪挟着面と密接するような形状に形成されることを特徴とする、請求項１ないし請求項４のいずれかに記載のヘアクリップ。
【発明の詳細な説明】
【技術分野】
【０００１】
この発明は、毛髪を挟着するヘアクリップに関し、特にたとえば、ヘアクリップから挟持された毛髪の落下を防止し、かつ均等に挟着するヘアクリップに関する。
【背景技術】
【０００２】
ヘアピンとヘアクリップは、髪を希望のスタイルに固定するためにヘア飾りに多用されている。一般のヘアクリップは、一対のクリップ片がブラケットと結合片及びコイルバネで組み立てられて、クリップ片の押し板を押さえると向かい合った上下クリップ片が広まり、押し板を放つとバネの弾発力により上下クリップ片が圧着しつつヘアを留めるようになっている（特許文献１参照）。
しかし、一対のクリップ片は細長い板状にやや湾曲されており、嵌合ピンを支点としてレバー作動を行うため、嵌合ピンに近接した位置のクリップ片間では髪を比較的に強く留めることができるが、嵌合ピンから離れたクリップ片の自由端に至るほどバネの弾発力による挟持力が弱くて髪を挟持し難い。
【０００３】
上記の問題を解決するため、一対のクリップ片が嵌合ピンとコイルバネにより組み立てられて髪を留めるようになったヘアクリップにおいて、フィンガーの長さほど短縮された上部クリップ片の自由端にフィンガーを関節動作できるように結合して、ヘアクリップの先端部側でフィンガーにより髪を引き寄せ安全に保持できるフィンガーがついているヘアクリップが提案されている（特許文献２参照）。
【先行技術文献】
【特許文献】
【０００４】
【特許文献１】特開２００２−２３８６４７号公報
【特許文献２】特開２００８−０５５０６９号公報
【発明の概要】
【発明が解決しようとする課題】
【０００５】
しかしながら、特許文献２に記載されているヘアクリップは、上部クリップ片と下部クリップ片とを閉じた状態にしたとき、フィンガーと下部クリップ片との間に隙間ができるため、ヘアクリップにより均等に毛髪を保持することが困難であるといった問題がある。
【０００６】
それゆえに、この発明の主たる目的は、ヘアクリップにより毛髪を狭持する際に、ヘアクリップから毛髪が落ちることを防止し、かつヘアクリップにおける毛髪挟着面に対して毛髪が偏ることなく均等に毛髪を挟持するヘアクリップを提供することである。
【課題を解決するための手段】
【０００７】
この発明にかかるヘアクリップは、前端側において揺動部保持部を有する上部クリップ部と、毛髪挟持部及び付勢部を有する揺動部であって、前端側に毛髪狭持部が形成され、後端側の一部に付勢部が形成され、揺動部の下面の一部に第２毛髪挟着面を有し、かつ上部クリップ部の揺動部保持部において軸を介して上下方向に揺動可能に枢設される揺動部と、本体部及び連結部を有する下部クリップ部であって、本体部の前端側に毛髪狭持部を有し、毛髪挟持部の上面には第１毛髪挟着面を有し、連結部により揺動部に上下方向に揺動可能に枢設される下部クリップ部と、上部クリップ部及び下部クリップ部の前端側を近接させる向きに付勢させるための付勢部材とを備えるヘアクリップであって、上部クリップ部及び下部クリップ部の前端側を開いている状態から閉じる状態に動作させたときに、揺動部が、第１毛髪挟着面及び第２毛髪挟着面の前端側の間隔と後端側の間隔とが略一定に揺動することで、毛髪を均等に狭持し、かつ付勢部の下面に対して毛髪により上向きに付勢されることで、軸を支点として第２毛髪挟着面が下向きに付勢されることから、第１毛髪挟着面と第２毛髪挟着面とにより毛髪が挟着されることを特徴とする、ヘアクリップである。
また、この発明にかかるヘアクリップでは、揺動部における付勢部の後端側には、開口部が形成された後端部が形成され、開口部には、連結部が嵌通され、上部クリップ部及び下部クリップ部の前端側を開いた場合、連結部の後面と上部クリップ部の後端側に形成される開閉操作部の下面とで、後端部の一部を挟持することが好ましい。
また、この発明にかかるヘアクリップでは、上部クリップ部及び下部クリップ部の前端側を開いた場合、付勢部の上面が、上部クリップ部の揺動部保持部の下面と密接するような形状に形成されることが好ましい。
また、この発明にかかるヘアクリップでは、揺動部における付勢部には、開口部が形成された後端部が形成され、開口部には、上部クリップ部の揺動部保持部が挿設されることが好ましい。
さらに、この発明にかかるヘアクリップでは、上部クリップ部及び下部クリップ部の前端側を閉じた場合、第１毛髪挟着面が、第２毛髪挟着面と密接するような形状に形成されることが好ましい。
【発明の効果】
【０００８】
この発明にかかるヘアクリップによれば、ヘアクリップにより毛髪を狭持する際に、付勢部の下面に対して挟持する毛髪により上向きに付勢されることで、軸を支点として第２毛髪挟着面が下向きに付勢されるので、ヘアクリップから挟持された毛髪が落下することを防止することができる。また、上部クリップ部及び下部クリップ部の前端側を開いている状態から閉じる状態に動作させたときに、揺動部が、第１毛髪挟着面及び第２毛髪挟着面の前端側の間隔と後端側の間隔とを略一定に揺動させることができるので、当該ヘアクリップにより均等に毛髪を保持することができる。
また、この発明にかかるヘアクリップによれば、上部クリップ部及び下部クリップ部の前端側を開いたときに、連結部の後面と上部クリップ部の後端側に形成される開閉操作部の下面とで、揺動部の後端部の一部を挟持するので、上部クリップ部及び下部クリップ部の前端側が開いた状態で保持されることから、毛髪をヘアクリップに取り込む間隔を確保することができる。
さらに、この発明にかかるヘアクリップによれば、上部クリップ部及び下部クリップ部の前端部を開いたときに、付勢部の上面が、上部クリップ部の揺動部保持部の下面と密接するような形状に形成されるので、毛髪を挟持する箇所以外の箇所に毛髪を挟み込むことを防止することができる。
また、この発明にかかるヘアクリップによれば、揺動部に形成された開口部に上部クリップ部の揺動部保持部が挿設されるので、ヘアクリップをより低背に形成することができる。
さらにまた、この発明にかかるヘアクリップでは、上部クリップ部及び下部クリップ部の前端側を閉じたときに、第１毛髪挟着面が、第２毛髪挟着面と密接するような形状に形成されるので、毛髪をより均等に、かつ確実に挟持することができる。
【０００９】
この発明の上述の目的、その他の目的、特徴および利点は、図面を参照して行う以下の発明を実施するための形態の説明から一層明らかとなろう。
【図面の簡単な説明】
【００１０】
【図１】この発明にかかるヘアクリップの実施形態を示す分解斜視図である。
【図２】この発明にかかるヘアクリップの実施形態を示す斜視図である。
【図３】この発明にかかるヘアクリップを開いた状態を示す側面図である。
【図４】この発明にかかるヘアクリップを開いた状態から閉じた状態に動作する途中の状態を示す側面図である。
【図５】この発明にかかるヘアクリップにより毛髪を挟持した状態を示す側面図である。
【図６】この発明にかかるヘアクリップの他の実施形態を示す側面図である。
【図７】この発明にかかるヘアクリップのさらに他の実施形態を示す側面図である。
【図８】この発明にかかるヘアクリップのさらに他の実施形態を示す分解斜視図である。
【図９】この発明にかかるヘアクリップのさらの他の実施形態を示す斜視図である。
【図１０】この発明にかかるヘアクリップを開いた状態を示す側面図である。
【図１１】この発明にかかるヘアクリップを開いた状態から閉じた状態に動作する途中の状態を示す側面図である。
【図１２】この発明にかかるヘアクリップにより毛髪を挟持した状態を示す側面図である。
【発明を実施するための形態】
【００１１】
図１は、この発明にかかるヘアクリップ１０の実施形態を示す分解斜視図を示す。また、図２は、本発明にかかるヘアクリップ１０の実施形態を示す斜視図である。
【００１２】
この発明にかかるヘアクリップ１０は、毛髪を留めるために使用されるものである。このヘアクリップ１０は、上部クリップ部２０、下部クリップ部３０、揺動部４０および付勢部材５０により構成される。また、上部クリップ部２０と下部クリップ部３０とは、軸６０により枢着され、上部クリップ部２０と揺動部４０とは、軸７０により枢着されている。
【００１３】
上部クリップ部２０は、揺動部４０を保持し、さらに軸７０を支点として揺動部４０を上下方向に揺動可能とするために設けられる。上部クリップ部２０は、揺動部保持部２２及び開閉操作部２４により構成される。上部クリップ部２０は、例えば細長い板状に形成され、前端側に揺動部保持部２２が、後端側に開閉操作部２４が互いに連設して一体に形成されている。上部クリップ部２０は、例えば、プラスチック又は金属により形成される。
【００１４】
揺動部保持部２２は、その略円柱状に形成された先端部２２ａにおいて、揺動部４０を枢設するために設けられる。揺動部保持部２２の先端部２２ａには幅方向（前後方向に対して水平直交する方向）に軸７０を挿通するための挿通孔２２ｂが形成される。
【００１５】
開閉操作部２４は、その後端側を下方向に押し下げることによって、軸６０を支点として揺動部４０を押し上げ、下部クリップ部３０と揺動部４０との前端側の間隔を広げる（外向きに開く）ために設けられる。開閉操作部２４の上面には、操作面２４ａが形成される。また、開閉操作部２４の前端側における幅方向（前後方向に対して水平直交する方向）の両側に位置して、かつ下部クリップ部３０と対向する側に、互いに平行に突設された軸支ブラケットを兼ねる連結片２６，２６が形成されている。そして、連結片２６，２６には、軸孔２６ａ，２６ａが左右対向方向に貫通状に設けられている。また、連結片２６，２６により凹部２６ｂが形成されている。この凹部２６ｂには、付勢部材５０の一部が配置される。連結片２６，２６の下端部には下端縁２６ｃ，２６ｃが形成される。
【００１６】
下部クリップ部３０は、この下部クリップ部３０と揺動部４０との間に毛髪を挟着するために設けられ、さらに、下部クリップ部３０と揺動部４０とにより挟着された毛髪を挟持することによりヘアクリップ１０から挟持した毛髪が落ちることを防止するために設けられる。下部クリップ部３０は、本体部３２及び連結部３４により構成される。下部クリップ部３０は、例えば、プラスチック又は金属により形成される。
【００１７】
本体部３２は、毛髪挟持部３６及び開閉操作部３８により構成される。本体部３２は、例えば細長い板状に、上に凸の方向にやや湾曲して形成される。これは、頭部の形状に合わせるためである。そして、本体部３２は、前端側に毛髪挟持部３６が、後端側に開閉操作部３８が互いに連設して一体に形成されている。また、毛髪挟持部３６の上面、すなわち、揺動部４０と対向する側には、第１毛髪挟着面３６ａが形成される。毛髪挟持部３６は、前端側に向かうに従って幅の大きさが小さくなるように形成されている。また、毛髪挟持部３６の先端部は、例えば半円状に形成されている。これは、ヘアクリップ１０を使用する際に、使用者の頭部を傷つけないようにするためである。また、開閉操作部３８の下面には、指先接触面３８ａが形成される。
【００１８】
連結部３４は、下部クリップ部３０と上部クリップ部２０とを連結させるために設けられるとともに、揺動部４０を上下方向に揺動させる長さを確保するために設けられる。
連結部３４は、開閉操作部３８の前端側の上面における幅方向（前後方向に対して水平直交する方向）の両側に位置し、互いに平行に突設された連結片３４ａ，３４ａにより形成されている。また、連結片３４ａ，３４ａの下端部３４ｂ，３４ｂが、開閉操作部３８の前端側の上面、すなわち上部クリップ部２０と対向する側において連設され、本体部３２と一体に形成される。その連結片３４ａ，３４ａの上端部３４ｃ，３４ｃには、軸６０を挿通させるための軸孔３４ｄ，３４ｄが左右対向方向に貫通状に設けられている。連結片３４ａ，３４ａは、下端部３４ｂ，３４ｂから上端部３４ｃ，３４ｃに向かって細くなるように形成される。また、連結片３４ａ，３４ａの後面側における幅方向の両側の位置には、前方向に凸に湾曲した連結縁３４ｅ，３４ｅが形成され、連結縁３４ｅ，３４ｅは、下端部３４ｂ，３４ｂから上端部３４ｃ，３４ｃに向かって、やや前傾して形成されている。そして、連結片３４ａ，３４ａは、板状に形成された連結板３４ｆを介して結合されている。連結板３４ｆには付勢部材５０の一部が配置される。連結板３４ｆの下端側には、連結台３４ｇが形成され、下端部３４ｂ，３４ｂと共に本体部３２と一体に形成される。
【００１９】
軸６０は、上部クリップ部２０の軸孔２６ａ，２６ａ及び下部クリップ部３０の連結部３４に形成された軸孔３４ｄ，３４ｄに挿通されて、上部クリップ部２０と下部クリップ部３０とが連結一体化され、上部クリップ部２０と下部クリップ部３０とが互いに対向方向に開閉するように構成される。すなわち、下部クリップ部３０は、上部クリップ部２０と連結部３４により枢設される。また、軸６０は、上部クリップ部２０の前後方向に対して水平直交するように設けられるので、上部クリップ部２０と下部クリップ部３０とは、幅方向にずれることなく枢設される。
【００２０】
揺動部４０は、この揺動部４０と下部クリップ部３０との間に毛髪を挟着するために設けられ、さらに、揺動部４０と下部クリップ部３０とにより挟着された毛髪を挟持することによりヘアクリップ１０からの毛髪の落下を防止するために設けられる。揺動部４０は、毛髪狭持部４２、付勢部４４及び後端部４６により構成される。揺動部４０は、例えば細長い板状に、上に凸の方向にやや湾曲して形成される。これは、頭部の形状に合わせるためである。そして、前端側に毛髪挟持部４２が、後端側に付勢部４４が互いに連設して一体に形成されている。さらに付勢部４４の後端側には、後端部４６が連設して一体に形成されている。また、揺動部４０の幅の大きさは、下部クリップ部３０の幅よりやや大きく形成される。揺動部４０は、例えば、プラスチック又は金属により形成される。
【００２１】
揺動部４０の下面、すなわち下部クリップ部３０と対向する側の面の一部には、第２毛髪挟着面４２ａが形成される。換言すると、毛髪挟持部４２及び付勢部４４における下部クリップ部３０と対向する側の面において、第２毛髪挟着面４２ａが形成される。そして、揺動部４０及び下部クリップ部３０の前端側を閉じた場合、第１毛髪挟着面３６ａと第２毛髪挟着面４２ａとが密接するように形成される。
【００２２】
揺動部４０の全体の前後方向の長さからみて略中央部から前寄りであって、毛髪挟持部４２の後端側における幅方向（前後方向に対して水平直交する方向）の両側に位置して、かつ下部クリップ部３０と対向する側と反対側に、互いに平行に突設された軸支ブラケットを兼ねる連結片４８，４８が形成されている。すなわち、毛髪挟持部４２の後端側と付勢部４４の前端側とが連設している部分の上面に連結片４８，４８が形成されている。連結片４８，４８には、軸孔４８ａ，４８ａが左右対向方向に貫通状に設けられている。さらに、連結片４８，４８の間には、揺動部保持部２２の先端部２２ａを配置させるための凹部４８ｂが形成されている。
【００２３】
軸７０は、揺動部４０の軸孔４８ａ，４８ａ及び上部クリップ部２０における揺動部保持部２２に形成された挿通孔２２ｂに挿通されて、上部クリップ部２０と揺動部４０とが連結一体化される。そして、軸７０を支点として揺動部４０が上下方向に揺動可能に枢設される。また、軸７０は、揺動部４０の前後方向に対して水平直交するように設けられるので、上部クリップ部２０と揺動部４０とは、幅方向（前後方向に対して水平直交する方向）にずれることなく枢設される。
【００２４】
ここで、付勢部４４の長さが、毛髪挟持部４２の長さに比べて長いことから、付勢部４４から上方向への付勢する範囲が大きくなるので、軸７０を支点として第２毛髪挟着面４２ａが下向きに付勢される力が大きく作用する。また、揺動部４０及び下部クリップ部３０の前端側を閉じた場合、第１毛髪挟着面３６ａが、第２毛髪挟着面４２ａと密接するような形状に形成される。従って、第１毛髪挟着面３６ａと第２毛髪挟着面４２ａとにより挟着すべき毛髪をしっかりと挟持することができる。
【００２５】
毛髪挟持部４２は、下部クリップ部３０の毛髪挟持部３６に形成されている第１毛髪挟着面３６ａにより毛髪を挟持させるために設けられる。毛髪挟持部４２における下部クリップ部３０と対向する側の面には、第２毛髪挟着面４２ａの一部が形成されている。毛髪挟持部４２は、前端側に向かうに従って幅の大きさが小さくなるように形成されている。また、毛髪挟持部３６の前端部は、例えば半円状に形成されている。また、毛髪挟持部４２の長さが、付勢部４４の長さに比べて短くなるように形成される。
【００２６】
付勢部４４は、挟持すべき毛髪を下部クリップ部３０の毛髪挟持部３６と挟着するとともに、その毛髪により上向きに付勢されることで、軸７０を支点として揺動部４０の毛髪挟持部４２を下向きに付勢させるように働かせるために設けられる。付勢部４４における下部クリップ部３０と対向する側の面には、第２毛髪挟着面４２ａの一部が形成されている。
【００２７】
後端部４６には、略矩形の形状の開口部４６ａが設けられ、その開口部４６ａには、連結部３４が嵌通される。さらに、後端部４６の後端側にはガイド片４６ｂが設けられる。ガイド片４６ｂは、揺動部４０の前後方向に対して水平直交するように設けられる。また、ガイド片４６ｂは、断面略楕円形に形成される。後端部４６は、開閉操作部２４に突設されている連結片２６，２６の形状にあわせて、下に凸の方向に湾曲して形成されている。すなわち、後端部４６と連結片２６，２６の下端縁２６ｃ，２６ｃとが接した場合には、後端部４６と連結片２６，２６の下端縁２６ｃ，２６ｃとが密接する。
【００２８】
付勢部材５０は、上部クリップ部２０及び下部クリップ部３０を対向内方向（近接させる方向）に相互に付勢させた状態を維持するために設けられる。付勢部材５０は、付勢本体部５２、第１付勢片５４及び第２付勢片５６により構成される。付勢部材５０は、例えば蔓巻ばねにより構成される。付勢本体部５２は、筒状に形成され、その筒状内部には軸６０が挿通される。そして、付勢本体部５２は、連結部３４に形成される連結板３４ｆの上端側に配置される。第１付勢片５４は、連結片２６，２６により形成された凹部２６ｂの開閉操作部２４側に配置される。また、第２付勢片５６は、連結部３４に形成される連結板３４ｆに配置される。
【００２９】
次に、この発明にかかるヘアクリップ１０の動作状態について説明する。
図３は、この発明にかかるヘアクリップ１０を開いた状態を示す側面図である。
【００３０】
上部クリップ部２０及び下部クリップ部３０の前端側が開いた状態では、ガイド片４６ｂを連結部３４の後面側に形成された連結縁３４ｅ，３４ｅと上部クリップ部２０の開閉操作部２４の下面とにより挟み込むことで、揺動部４０の揺動を固定させている。すなわち、ガイド片４６ｂの前端側が、連結縁３４ｅ，３４ｅと接して略上方向に押さえ込まれることにより、上部クリップ部２０の開閉操作部２４の下面と揺動部４０の後端部４６の上面とが密接することから、揺動部４０の揺動が、固定される。これにより、ヘアクリップ１０を開いた際に、揺動部４０が閉じる方向に揺動することを防止することができるので、挟持すべき毛髪を通す間隔を広く確保することができる。
【００３１】
また、上部クリップ部２０及び下部クリップ部３０の前端側が開いた状態では、付勢部４４の上面と揺動部保持部２２の下面とが密接する。これにより、ヘアクリップ１０により挟持すべき毛髪を挟む際に、付勢部４４の上面、揺動部保持部２２の下面及び連結部３４の前面により形成された空間に毛髪が挟まることを防止することができる。
【００３２】
図４は、この発明にかかるヘアクリップ１０を開いた状態から閉じた状態に動作する途中の状態を示すヘアクリップ１０の側面図である。また、図５は、この発明にかかるヘアクリップ１０により毛髪を挟持した状態を示す側面図である。
【００３３】
この発明にかかるヘアクリップ１０を開いた状態から閉じた状態にする途中の状態の場合、揺動部４０を、連結部３４の長さ分だけ、自由に上下方向に揺動させることができる。従って、揺動部４０が、第１毛髪挟着面３６ａ及び第２毛髪挟着面４２ａの前端側の間隔と後端側の間隔とを略一定に揺動させることができるので、第１毛髪挟着面３６ａ及び第２毛髪挟着面４２ａにより均等に毛髪を挟持することができる。
【００３４】
また、この発明にかかるヘアクリップ１０で毛髪を挟持する際に、付勢部４４側に毛髪が束となり偏って存在している場合でも、揺動部４０の前端側と下部クリップ部３０の前端側とが接した上で、付勢部材５０により付勢する力が付勢部４４を介して下向きに押さえるように毛髪に作用することから、当該束になっている毛髪は、第１毛髪挟着面３６ａ及び第２毛髪挟着面４２ａにおける前方向に移動するようにして分散される。その結果、第１毛髪挟着面３６ａ及び第２毛髪挟着面４２ａにより、毛髪を均等に挟持することができる。
【００３５】
また、ヘアクリップ１０で毛髪を挟持する際に、付勢部４４の下面に対して挟着すべき毛髪により上向きに付勢されることで、軸７０を支点として第２毛髪挟着面４２ａが下向きに付勢されることから、第１毛髪挟着面３６ａ及び第２毛髪挟着面４２ａの前端側から挟持した毛髪の落下を防止し、その毛髪をしっかりと挟持することができる。
【００３６】
本発明にかかるヘアクリップ１０によれば、当該ヘアクリップ１０により毛髪を挟持する際に、付勢部４４の下面に対して挟持する毛髪により上向きに付勢されることで、軸７０を支点として第２毛髪挟着面４２ａが下向きに付勢されるので、ヘアクリップ１０から毛髪が落下することを防止することができる。また、揺動部４０及び下部クリップ部３０の前端部を開いている状態から閉じる状態に動作させたときに、揺動部４０が、第１毛髪挟着面３６ａ及び第２毛髪挟着面４２ａの前端側の間隔と後端側の間隔とを略一定に揺動させることができるので、ヘアクリップ１０における第１毛髪挟着面３６ａ及び第２毛髪挟着面４２ａで毛髪を挟持する際に、前後方向に毛髪が偏ることなく、均等に毛髪を挟持することができる。
【００３７】
また、本発明にかかるヘアクリップ１０によれば、上部クリップ部２０及び下部クリップ部３０の前端側を開いた場合、連結部３４の連結縁３４ｅと上部クリップ部２０の開閉操作部２４の下面とで、揺動部４０のガイド片４６ｂを挟持するので、それぞれの前端部の間隔を開いた状態を保持することができることから、毛髪をヘアクリップ１０に取り込むために必要な範囲の間隔を十分に確保することができる。
【００３８】
また、本発明にかかるヘアクリップ１０によれば、上部クリップ部２０及び下部クリップ部３０の前端側を開いた場合、付勢部４４の上面と上部クリップ部２０の揺動部保持部２２の下面とが密接するので、毛髪を保持する箇所以外の箇所で毛髪を挟み込んでしまうことを防止することができる。
【００３９】
また、本発明にかかるヘアクリップ１０によれば、揺動部４０及び下部クリップ部３０の前端側を閉じた場合、第１毛髪挟着面３６ａと第２毛髪挟着面４２ａとが密接するように形成されるので、より均等にかつ確実に毛髪を挟持することができる。
【００４０】
図６は、この発明にかかるヘアクリップの他の実施形態であるヘアクリップ１１０を示す側面図である。
本実施例にかかるヘアクリップ１１０の揺動部１４０において、毛髪挟持部１４２の長さは、揺動部４０の毛髪挟持部４２の長さと比較して長く形成されている。すなわち、毛髪挟持部１４２の長さが、付勢部１４４の長さに比べて長くなるように形成されている。また、この場合、上部クリップ部１２０の揺動部保持部１２２の長さは、上部クリップ部２０の揺動部保持部２２の長さと比較して短く形成されている。このように形成された揺動部１４０によると、揺動部保持部１２２に形成された第２毛髪挟着面１４２ａを広く確保できるので、毛髪挟持部１４２の前端側及び下部クリップ部１３０の前端側から挟持すべき毛髪の落下をより防止することができる。
【００４１】
なお、揺動部１４０において、毛髪挟持部１４２の長さと付勢部１４４の長さとが略等しく形成することもできる。このように形成された揺動部１４０によると、毛髪挟持部１４２と付勢部１４４とにより等しく全体に挟持すべき毛髪に対して力を作用させることができるので、より均等に毛髪を保持することができる効果を有する。
【００４２】
図７は、この発明にかかるヘアクリップのさらに他の実施形態であるヘアクリップ２１０を示す側面図である。
本実施例にかかるヘアクリップ２１０の上部クリップ部２２０において、連結片２６，２６が形成されていないため、開閉操作部２２４の下面が、側面視直線状に形成されている状態を示している。この場合も揺動部２４０における後端部２４６も、開閉操作部２２４の下面の形状にあわせて、側面視直線状に形成される。
【００４３】
次に、この発明にかかるヘアクリップのさらに他の実施形態について説明する。
図８は、この発明にかかるヘアクリップのさらに他の実施形態であるヘアクリップ３１０を示す分解斜視図を示す。また、図９は、本発明にかかるヘアクリップのさらに他の実施形態であるヘアクリップ３１０を示す斜視図である。
【００４４】
このヘアクリップ３１０は、上部クリップ部３２０、下部クリップ部３３０、揺動部３４０および付勢部材５０により構成される。また、上部クリップ部３２０と下部クリップ部３３０とは、軸６０により枢着され、上部クリップ部３２０と揺動部３４０とは、軸７０により枢着されている。
【００４５】
上部クリップ部３２０は、揺動部３４０を保持し、さらに軸７０を支点として揺動部３４０を上下方向に揺動可能とするために設けられる。上部クリップ部３２０は、揺動部保持部３２２及び開閉操作部３２４により構成される。上部クリップ部３２０は、前端側に揺動部保持部３２２が、後端側に開閉操作部３２４が互いに連設して一体に形成されている。上部クリップ部３２０は、例えば、プラスチック又は金属により形成される。
【００４６】
揺動部保持部３２２は、例えば、略Ｌ字状に形成されており、その短辺を下向きにして形成される。そして、揺動部保持部３２２の長辺の先端部３２２ａにおいて、揺動部３４０が枢設されている。揺動部３４０を枢設するために、揺動部保持部３２２の先端部３２２ａには幅方向（前後方向に対して水平直交する方向）に軸７０を挿通するための挿通孔３２２ｂが形成される。また、揺動部保持部３２２の短辺の下端は、開閉操作部３２４の前端部３２４ｂの上部に固着されており、従って、揺動部保持部３２２と開閉操作部３２４とが一体に形成されている。そして、揺動部保持部３２２の長辺の後端と短辺の上端とが、上に凸の方向に湾曲している湾曲部３２２ｃを介して接続されている。
【００４７】
開閉操作部３２４は、後述する揺動部３４０の後端部３４６における開閉操作部作用面３４６ｂを介して操作面３２４ａを下方向に押し下げられることによって、軸６０を支点として揺動部３４０を押し上げ、下部クリップ部３３０と揺動部３４０との前端側の間隔を広げる（外向きに開く）ために設けられる。開閉操作部３２４の上面の前端部３２４ｂは、揺動部保持部３２２の短辺の下端と一体に連結されており、後端側の上面には操作面３２４ａが形成される。また、開閉操作部３２４の操作面３２４ａの裏面における幅方向（前後方向に対して水平直交する方向）の両側に位置して、かつ下部クリップ部３３０と対向する側に、互いに平行に突設された軸支ブラケットを兼ねる連結片３２６，３２６が形成されている。そして、連結片３２６，３２６には、軸孔３２６ａ，３２６ａが左右対向方向に貫通状に設けられている。従って、連結片３２６，３２６により凹部３２６ｂが形成されている。この凹部３２６ｂには、付勢部材５０の一部が配置される。連結片３２６，３２６の下端部には下端縁３２６ｃ，３２６ｃが形成される。また、開閉操作部３２４の幅の大きさは、揺動部３４０の幅よりやや小さく形成される。
【００４８】
下部クリップ部３３０は、この下部クリップ部３３０と揺動部３４０との間に毛髪を挟着するために設けられ、さらに、下部クリップ部３３０と揺動部３４０とにより挟着された毛髪を挟持することによりヘアクリップ３１０から挟持した毛髪が落ちることを防止するために設けられる。下部クリップ部３３０は、本体部３３２及び連結部３３４により構成される。下部クリップ部３３０は、例えば、プラスチック又は金属により形成される。
【００４９】
本体部３３２は、毛髪挟持部３３６及び開閉操作部３３８により構成される。本体部３３２は、例えば細長い板状に、上に凸の方向にやや湾曲して形成されている。これは、頭部の形状に合わせるためである。そして、本体部３３２は、前端側に毛髪挟持部３３６が、後端側に開閉操作部３３８が互いに連設して一体に形成されている。また、毛髪挟持部３３６の上面、すなわち、揺動部３４０と対向する側には、第１毛髪挟着面３３６ａが形成される。さらに、第１毛髪狭着面３３６ａの略中央には、毛髪挟持部３３６の先端側から後端側に渡って溝部３３６ｂが形成されている。また、毛髪挟持部３３６は、前端側に向かうに従って幅の大きさが小さくなるように形成されている。また、毛髪挟持部３３６の先端部は、例えば半円状に形成されている。これは、このヘアクリップ３１０を使用する際に、使用者の頭部を傷つけないようにするためである。また、開閉操作部３３８の下面には、指先接触面３３８ａが形成され、開閉操作部３３８の上面には窪み部３３８ｂが形成される。
【００５０】
連結部３３４は、下部クリップ部３３０と上部クリップ部３２０とを連結させるために設けられる。連結部３３４は、開閉操作部３３８の前端側の上面における幅方向（前後方向に対して水平直交する方向）の両側に位置し、互いに平行に突設された連結片３３４ａ，３３４ａにより形成されている。また、連結片３３４ａ，３３４ａの下端部３３４ｂ，３３４ｂが、開閉操作部３３８の前端側の上面、すなわち上部クリップ部３２０と対向する側において連設され、本体部３３２と一体に形成される。その連結片３３４ａ，３３４ａの上端部３３４ｃ，３３４ｃには、軸６０を挿通させるための軸孔３３４ｄ，３３４ｄが左右対向方向に貫通状に設けられている。また、連結片３３４ａ，３３４ａの後面側における幅方向の両側の位置には、前方向に凸に湾曲した連結縁３３４ｅ，３３４ｅが形成されている。連結縁３３４ｅ，３３４ｅは、下端部３３４ｂ，３３４ｂから上端部３３４ｃ，３３４ｃに向かって、やや前傾して形成されている。
【００５１】
軸６０は、上部クリップ部３２０の軸孔３２６ａ，３２６ａ及び下部クリップ部３３０の連結部３３４に形成された軸孔３３４ｄ，３３４ｄに挿通されて、上部クリップ部３２０と下部クリップ部３３０とが連結一体化され、上部クリップ部３２０と下部クリップ部３３０とが互いに対向方向に開閉するように構成される。すなわち、下部クリップ部３３０は、上部クリップ部３２０と連結部３３４により枢設される。また、軸６０は、上部クリップ部３２０の前後方向に対して水平直交するように設けられるので、上部クリップ部３２０と下部クリップ部３３０とは、幅方向にずれることなく枢設される。
【００５２】
揺動部３４０は、この揺動部３４０と下部クリップ部３３０との間に毛髪を挟着するために設けられ、さらに、揺動部３４０と下部クリップ部３３０とにより挟着された毛髪を挟持することによりヘアクリップ３１０からの毛髪の落下を防止するために設けられる。また、揺動部３４０の幅の大きさは、下部クリップ部３３０の幅よりやや大きく形成される。揺動部３４０は、例えば、プラスチック又は金属により形成される。
【００５３】
揺動部３４０は、毛髪狭持部３４２、付勢部３４４，３４４及び後端部３４６により構成される。揺動部３４０は、例えば、上に凸の方向にやや湾曲して形成される。これは、頭部の形状に合わせるためである。そして、揺動部３４０は、前端側に毛髪挟持部３４２が、後端側に付勢部３４４，３４４が互いに連設して一体に形成されている。さらに、付勢部３４４，３４４の後端側における上部側には、後端部３４６が連設して一体に形成されている。
【００５４】
揺動部３４０の下面、すなわち下部クリップ部３３０と対向する側の面の一部には、第２毛髪挟着面３４２ａが形成される。換言すると、毛髪挟持部３４２及び付勢部３４４，３４４における下部クリップ部３３０と対向する側の面において、第２毛髪挟着面３４２ａが形成される。そして、揺動部３４０及び下部クリップ部３３０の前端側を閉じた場合、第１毛髪挟着面３３６ａと第２毛髪挟着面３４２ａとが密接するように形成される。
【００５５】
付勢部３４４，３４４は、後端部３４６側に向かうに従って、上下方向の幅が広がるように形成されている。付勢部３４４，３４４に挟まれるように、平面視略矩形の形状の開口部３４４ａが設けられ、その開口部３４４ａには、上部クリップ部３２０の揺動部保持部３２２が隙間なく挿設される。そのため、開口部３４４ａの前後方向の長さは、揺動部保持部３２２の長辺の長さと略同一に形成され、開口部３４４ａの幅は、揺動部保持部３２２の幅と略同一に形成される。また、湾曲部３２２ｃは、開口部３４４ａの後端側に位置するように挿設される。そして、開口部３３４ａの前端側における幅方向（前後方向に対して水平直交する方向）の両側に、軸支ブラケットを兼ねる連結片３４８，３４８が形成されている。連結片３４８，３４８には、軸孔３４８ａ，３４８ａが左右対向方向に貫通状に設けられている。さらに、連結片３４８，３４８の間には、揺動部保持部３２２の先端部３２２ａを配置させるための凹部３４８ｂが形成されている。また、開口部３４４ａの前端側の下側に連結板３４８ｃが形成される。また、連結板３４８ｃの後端側において、後端辺３４８ｄが形成される。揺動部３４０と下部クリップ部３３０とが開いている場合において、揺動部３４０のみを閉じる方向に回転させたとき、連結板３４８ｃの後端辺３４８ｄと揺動部保持部３２２の下面とが接する。従って、連結板３４８ｃの後端辺３４８ｄと揺動部保持部３２２の下面とが接すると、揺動部３４０の閉じる方向への回転を止めるようにすることができる。
【００５６】
軸７０は、揺動部３４０の軸孔３４８ａ，３４８ａ及び上部クリップ部３２０における揺動部保持部３２２に形成された挿通孔３２２ｂに挿通されて、上部クリップ部３２０と揺動部３４０とが連結一体化される。そして、軸７０を支点として揺動部３４０が上下方向に揺動可能に枢設される。また、軸７０は、揺動部３４０の前後方向に対して水平直交するように設けられるので、上部クリップ部３２０と揺動部３４０とは、幅方向（前後方向に対して水平直交する方向）にずれることなく枢設される。
【００５７】
毛髪挟持部３４２は、下部クリップ部３３０の毛髪挟持部３３６に形成されている第１毛髪挟着面３３６ａにより毛髪を挟持させるために設けられる。毛髪挟持部３４２における下部クリップ部３３０と対向する側の面には、第２毛髪挟着面３４２ａの一部が形成されている。毛髪挟持部３４２は、前端側に向かうに従って幅の大きさが小さくなるように形成されている。また、毛髪挟持部３３６の前端部は、例えば半円状に形成されている。また、毛髪挟持部３４２の長さは、付勢部３４４，３４４の長さに比べて長くなるように形成される。
【００５８】
付勢部３４４，３４４は、挟持すべき毛髪を下部クリップ部３３０の毛髪挟持部３３６と挟着するとともに、その毛髪により上向きに付勢されることで、軸７０を支点として揺動部３４０の毛髪挟持部３４２を下向きに付勢させるように働かせるために設けられる。付勢部３４４，３４４における下部クリップ部３３０と対向する側の面には、第２毛髪挟着面３４２ａの一部が形成されている。
【００５９】
後端部３４６は、その後端側を下方向に押し下げることによって、軸６０を支点として揺動部３４０を押し上げ、下部クリップ部３３０と揺動部３４０との前端側の間隔を広げる（外向きに開く）ために設けられる。後端部３４６の上面には、指先接触面３４６ａが形成される。また、後端部３４６の下面には、開閉操作部作用面３４６ｂが形成される。
【００６０】
付勢部材５０は、上部クリップ部３２０及び下部クリップ部３３０を対向内方向（近接させる方向）に相互に付勢させた状態を維持するために設けられる。付勢部材５０は、付勢本体部５２、第１付勢片５４及び第２付勢片５６により構成される。付勢部材５０は、例えば蔓巻ばねにより構成される。付勢本体部５２は、筒状に形成され、その筒状内部には軸６０が挿通される。第１付勢片５４は、連結片３２６，３２６により形成された凹部３２６ｂの開閉操作部３２４側に配置される。また、第２付勢片５６は、開閉操作部３３８に形成される窪み部３３８ｂに配置される。
【００６１】
ここで、上述したように、揺動部３４０に形成された開口部３４４ａに上部クリップ部３２０の揺動部保持部３２２が挿設されることから、ヘアクリップ３１０をより低背に形成することができる。図５において、Ｌ１は、ヘアクリップ１０の前後方向の長さを示し、Ｈ１は、ヘアクリップ１０の上下方向の高さを示す。また、図１２において、Ｌ２は、ヘアクリップ３１０の前後方向の長さを示し、Ｈ２は、ヘアクリップ３１０の上下方向の高さを示す。長さＬ１に対する高さＨ１と長さＬ２に対する高さＨ２とを比較したとき、ヘアクリップ３１０の高さＨ２の方がその長さＬ２に対して低く形成されていることがわかる。
【００６２】
次に、ヘアクリップ１０及びヘアクリップ３１０における軸６０と軸７０との位置関係を比較する。ヘアクリップ１０において、Ｓａ１は、下部クリップ部３０の最下点から軸６０までの高さを示し、Ｓｂ１は、下部クリップ部３０の最下点から軸７０までの高さを示す。また、ヘアクリップ３１０において、Ｓａ２は、下部クリップ部３３０の最下点から軸６０までの高さを示し、Ｓｂ２は、下部クリップ部３３０から軸７０までの高さを示す。ヘアクリップ１０及びヘアクリップ３１０における軸６０と軸７０との位置関係を比較したとき、ヘアクリップ１０においては、高さＳａ１の方が高さＳｂ１より大きいが、ヘアクリップ３１０においては、高さＳａ２の方が高さＳｂ２よりも小さくなるように形成されている。
【００６３】
次に、この発明にかかるヘアクリップ３１０の動作状態について説明する。
図１０は、この発明にかかるヘアクリップ３１０を開いた状態を示す側面図である。なお、図１０において、ヘアクリップ３１０の一部は断面図である。
【００６４】
上部クリップ部３２０及び下部クリップ部３３０の前端側が開いた状態では、揺動部３４０の後端部３４６における開閉操作部作用面３４６ｂと上部クリップ部３２０の操作面３２４ａとが密接した状態で下方向に押し下げられている。また、このとき、上部クリップ部３２０の揺動部保持部３２２は、揺動部３４０の開口部３４４ａに挿設されているので、ヘアクリップ３１０により挟持すべき毛髪を挟む際に、揺動部保持部３２２の上面と付勢部３４４，３４４との間に隙間が形成されないことから、これらの間に毛髪が挟まることを防止することができる。
【００６５】
図１１は、この発明にかかるヘアクリップ３１０を開いた状態から閉じた状態に動作する途中の状態を示すヘアクリップ３１０の側面図である。また、図１２は、この発明にかかるヘアクリップ１０により毛髪を挟持した状態を示す側面図である。
【００６６】
この発明にかかるヘアクリップ３１０を開いた状態から閉じた状態にする途中の状態の場合、揺動部３４０を、揺動部保持部３２２の短辺の長さと開閉操作部３２４の厚さを合わせた長さ分だけ、自由に上下方向に揺動させることができる。従って、揺動部３４０が、第１毛髪挟着面３３６ａ及び第２毛髪挟着面３４２ａの前端側の間隔と後端側の間隔とを略一定に揺動させることができるので、第１毛髪挟着面３３６ａ及び第２毛髪挟着面３４２ａにより均等に毛髪を挟持することができる。
【００６７】
また、この発明にかかるヘアクリップ３１０で毛髪を挟持する際に、付勢部３４４，３４４側に毛髪の束となり偏って存在している場合でも、揺動部３４０の前端側と下部クリップ部３３０の前端側とが接した上で、付勢部材５０により付勢する力が付勢部３４４，３４４を介して、揺動部３４０の前端側を下向きに押さえるように毛髪に作用することから、当該束になっている毛髪は、第１毛髪挟着面３３６ａ及び第２毛髪挟着面３４２ａにおける前方向に移動するようにして分散される。その結果、第１毛髪挟着面３３６ａ及び第２毛髪挟着面３４２ａにより、毛髪を均等に挟持することができる。
【００６８】
また、ヘアクリップ３１０で毛髪を挟持する際に、付勢部３４４，３４４の下面に対して挟着すべき毛髪により上向きに付勢されることで、軸７０を支点として第２毛髪挟着面３４２ａが下向きに付勢されることから、第１毛髪挟着面３３６ａ及び第２毛髪挟着面３４２ａの前端側から挟持した毛髪の落下を防止し、その毛髪をしっかりと挟持することができる。
【００６９】
本発明にかかるヘアクリップ３１０によれば、当該ヘアクリップ３１０により毛髪を挟持する際に、付勢部３４４，３４４の下面に対して挟持する毛髪により上向きに付勢されることで、軸７０を支点として第２毛髪挟着面３４２ａが下向きに付勢されるので、ヘアクリップ３１０から毛髪が落下することを防止することができる。また、揺動部３４０及び下部クリップ部３３０の前端部を開いている状態から閉じる状態に動作させたときに、揺動部３４０が、第１毛髪挟着面３３６ａ及び第２毛髪挟着面３４２ａの前端側の間隔と後端側の間隔とを略一定に揺動させることができるので、ヘアクリップ３１０における第１毛髪挟着面３３６ａ及び第２毛髪挟着面３４２ａで毛髪を挟持する際に、前後方向に毛髪が偏ることなく、均等に毛髪を挟持することができる。
【００７０】
また、本発明にかかるヘアクリップ３１０によれば、揺動部３４０の開口部３４４ａに上部クリップ部３２０の揺動部保持部３２２が挿設されるので、ヘアクリップ１０と比較したとき、より低背化に形成することができる。
【００７１】
さらに、本発明にかかるヘアクリップ３１０によれば、揺動部３４０及び下部クリップ部３３０の前端側を閉じた場合、第１毛髪挟着面３３６ａと第２毛髪挟着面３４２ａとが密接するように形成されるので、より均等にかつ確実に毛髪を挟持することができる。
【００７２】
なお、本実施例における第１毛髪挟着面３６ａ及び第２毛髪挟着面４２ａ並びに第１毛髪挟着面３３６ａ及び第２毛髪挟着面３４２ａにおいて、より毛髪を確実に挟着させるために、例えば、それぞれの面に対して凹凸を設けるようにした滑り止めのような加工を施してもよい。
【００７３】
また、本実施例においては、下部クリップ部３０の本体部３２及び揺動部４０並びに下部クリップ部３３０の本体部３３２及び揺動部３４０は、上に凸の方向にやや湾曲して形成されているが、これに限られるものではなく、側面視直線状に形成されてもよい。
【００７４】
さらに、本実施例においては、付勢部材５０の材料として、蔓巻ばねにより構成されるとしたが、これに限られるものではなく、例えば、コイルバネや板ばね等により構成されるようにしてもよい。
【産業上の利用可能性】
【００７５】
この発明にかかるヘアクリップは、ヘアクリップからの毛髪の落下を防止することができ、かつ毛髪を均等に挟着させるヘアクリップに利用できる。
【符号の説明】
【００７６】
１０、１１０、２１０、３１０  ヘアクリップ
２０、１２０、２２０、３２０  上部クリップ部
２２、１２２、２２２、３２２  揺動部保持部
２２ａ、３２２ａ  先端部
２２ｂ、３２２ｂ  挿通孔
２４、１２４、２２４、３２４  開閉操作部
２４ａ、３２４ａ  操作面
２６、３２６  連結片
２６ａ、３２６ａ  軸孔
２６ｂ、３２６ｂ  凹部
２６ｃ、３２６ｃ  下端縁
３０、１３０、２３０、３３０  下部クリップ部
３２、３３２  本体部
３４、３３４  連結部
３４ａ、３３４ａ  連結片
３４ｂ、３３４ｂ  下端部
３４ｃ、３３４ｃ  上端部
３４ｄ、３３４ｄ  軸孔
３４ｅ、３３４ｅ  連結縁
３４ｆ  連結板
３４ｇ  連結台
３６、３３６  毛髪挟持部
３６ａ、３３６ａ  第１毛髪挟着面
３８、３３８  開閉操作部
３８ａ、３３８ａ  指先接触面
４０、１４０、２４０、３４０  揺動部
４２、１４２、３４２  毛髪挟持部
４２ａ、１４２ａ、３４２ａ  第２毛髪挟着面
４４、１４４、３４４  付勢部
４６、２４６、３４６  後端部
４６ａ  開口部
４６ｂ  ガイド片
４８、３４８  連結片
４８ａ、３４８ａ  軸孔
４８ｂ、３４８ｂ  凹部
５０  付勢部材
５２  付勢本体部
５４  第１付勢片
５６  第２付勢片
６０  軸
７０  軸
３２２ｃ  湾曲部
３２４ｂ  前端部
３３６ｂ  溝部
３３８ｂ  窪み部
３４４ａ  開口部
３４６ａ  指先接触面
３４６ｂ  開閉操作部作用面
３４８ｃ  連結板
３４８ｄ  後端辺
【図１】
2011120895.tif 000003
【図２】
2011120895.tif 000004
【図３】
2011120895.tif 000005
【図４】
2011120895.tif 000006
【図５】
2011120895.tif 000007
【図６】
2011120895.tif 000008
【図７】
2011120895.tif 000009
【図８】
2011120895.tif 000010
【図９】
2011120895.tif 000011
【図１０】
2011120895.tif 000012
【図１１】
2011120895.tif 000013
【図１２】
2011120895.tif 000014